(57)【要約】【課題】本発明は、液圧駆動装置に関する。【解決手段】この液圧駆動装置（１）は、油圧ポンプ（３）および油圧モータ（７）を含む。この油圧ポンプ（３）は第１作用導管（５）を経由して油圧モータ（７）の第１作用導管連結部（８）へ、第２作用導管（６）を経由して油圧モータ（７）の第２作用導管連結部（９）へと連結し得る。さらに、液圧駆動装置（１）は、圧力エネルギを貯蔵するための第１貯蔵手段（４０）および第２貯蔵手段（４１）を含む。第１貯蔵手段中に貯蔵された圧力エネルギの回収のために、第１貯蔵手段は、少なくとも１方向の運搬について、第１または第２作用導管（５、６）のうち、この運搬方向で、油圧ポンプ（３）に関して吸込み側にある方と連結し得る。【選択図】図１
2009520927.tif 000002
【特許請求の範囲】
【請求項１】
第１作用導管(５)を経由して油圧モータ（７）の第１作用導管連結部（８）へおよび第２作用導管（６）を経由して油圧モータ（７）の第２作用導管連結部（９）へ連結し得る油圧ポンプ（３）、ならびに圧力エネルギを貯蔵するための第１貯蔵手段（４０）および第２貯蔵手段（４１）を含む液圧駆動装置であって、該第１貯蔵手段（４０）中に貯蔵された圧力エネルギの回収のために、該第１貯蔵手段が、該油圧ポンプ（３）の少なくとも１つの運搬方向について、第１作用導管または第２作用導管（５、６）のうち、この運搬方向で吸込み側にある方へと連結され得ることを特徴とする、液圧駆動装置。
【請求項２】
前記第１貯蔵手段（４０）中に貯蔵された圧力エネルギの回収のために、第１または第２作用導管連結部（８、９）のうち上流の方が、第１または第２作用導管（５、６）のうち油圧ポンプ（３）に関して運搬側のものと連結し得、第１または第２作用導管連結部のうちもう一方の下流の方が、前記第２貯蔵手段（４１）と連結し得ることを特徴とする、請求項１に記載の液圧駆動装置。
【請求項３】
前記第１貯蔵手段（４０）を充填するために、前記第１貯蔵手段（４０）が、少なくとも１つの流動の方向に対して、油圧モータ（７）の第１または第２作用導管連結部（８、９）のうち下流のほうへ連結し得、油圧モータ（７）の第２または第１作用導管連結部（９、８）のうち上流の方が、前記第２貯蔵手段（４１）に連結し得ることを特徴とする、請求項１または２のいずれかに記載の液圧駆動装置。
【請求項４】
前記第１貯蔵手段（４０）を前記第１または第２作用導管（５、６）に連結するため、および／または前記第２貯蔵手段（４１）を前記第１または第２作用導管連結部（８、９）に連結するため、および／または前記第１または第２作用導管連結部（８、９）を前記第１または第２作用導管（５、６）にそれぞれ連結するために、それぞれ座弁（１５、１６、４４、４５、５７、５８）を備えることを特徴とする、請求項１から３のいずれかに記載の液圧駆動装置。
【請求項５】
パイロット弁（２４、２４′、３６、３６′、４６、４７、５９、６０）がそれぞれ、制御圧力とともに前記座弁（１５、１６、４４、４５、５７、５８）に作用し得ることを特徴とする、請求項４に記載の液圧駆動装置。
【請求項６】
前記第２貯蔵手段（４１）が、加圧媒体源に連結し得る圧力保持導管（７６）に連結することを特徴とする、請求項１から５のいずれかに記載の液圧駆動装置。
【請求項７】
前記加圧媒体源が、給油装置（６９）であることを特徴とする、請求項６に記載の液圧駆動装置。
【請求項８】
前記給油装置（６９）が給油導管（７１）に流動を運搬する給油ポンプ（７０）を含むことを特徴とする、請求項７に記載の液圧駆動装置。
【請求項９】
前記給油導管（７１）が、スイッチ弁（７７）を経由して圧力保持導管（７６）に連結し得ることを特徴とする、請求項８に記載の液圧駆動装置。
【請求項１０】
前記給油導管（７１）が、圧力保持導管（７６）の方へ開放された逆止め弁を経由して該圧力保持導管（７６）へ連結されることを特徴とする、請求項８に記載の液圧駆動装置。
【請求項１１】
前記第１貯蔵手段（４０）および前記第２貯蔵手段（４１）が、貯蔵圧力制限弁（９１）を経由して互いに直接に連結し得ることを特徴とする、請求項１から１０のいずれかに記載の液圧駆動装置。
【発明の詳細な説明】
【技術分野】
【０００１】
本発明は、貯蔵したエネルギを回収する液圧駆動装置（Ｈｙｄｒｏｓｔａｔｉｓｃｈｅ  Ａｎｔｒｉｅｂｅ）に関する。
【背景技術】
【０００２】
液圧駆動装置（Ｈｙｄｒｏｓｔａｔｉｓｃｈｅ  Ａｎｔｒｉｅｂｅ）は、商用車を駆動するのに頻繁に用いられる。この場合、ブレーキ操作の間にいくらかの運動エネルギが液圧駆動装置を経由して貯蔵され、次にこれを回収することが可能である。特許文献１は、一方向にだけ運搬するために備えられた油圧ポンプ（Ｈｙｄｒｏｐｕｍｐｅ）を有する閉じた回路の液圧駆動装置を使用することを提案している。油圧ポンプを油圧モータ（Ｈｙｄｒｏｍｏｔｏｒ）に連結する、運搬側の作用導管が、高圧貯蔵手段に連結されている。低圧貯蔵手段の形態をとり、油圧ポンプに関して吸引側の作用導管に連結される第２貯蔵手段も、備えられている。この高圧貯蔵手段および低圧貯蔵手段は、恒久的にそれぞれ運搬側および吸引側の作用導管に連結されている。通常の駆動状態では、油圧ポンプは運搬側の作用導管に流動を運搬する。この油圧モータは調節可能であり、駆動のための第１方向に回転する。もし車両がオーバーラン状態に入ったら、最初に油圧モータの吸込み容量が調節され、これが０に近づく。ブレーキ効果を達成するために、油圧モータは次に反対方向に回転する。その結果、油圧モータは、油圧ポンプに関して運搬側の作用導管に流動を運搬する。
【０００３】
加圧媒体が油圧ポンプの運搬の方向と反対の方向に油圧ポンプへと流れるのを防ぐために、逆止め弁が作用導管に設けられている。これに従い、油圧モータによって運搬される加圧媒体は、高圧貯蔵手段へと運搬される。これは、もし高圧貯蔵手段において圧力が上昇すれば、車両の運動エネルギが圧力エネルギに変換されていることを意味する。生じた流動の体積損失は、低圧貯蔵手段から加圧媒体を取り出すことによって、埋め合わされる。
【０００４】
貯蔵エネルギを回収するためには、加圧媒体が高圧貯蔵手段から取り出されなければならない。前の駆動状態におけるように、油圧モータは、今その第１方向に戻って回転している。加圧媒体の圧力が油圧モータを経由して開放されるとき、油圧モータによって出力モーメントが発生する。油圧モータを通して運搬された加圧媒体は、体積を埋め合わせることによって、低圧貯蔵手段に運搬される。
【０００５】
公知の駆動装置では、加圧媒体を取り出すために、加圧媒体を高圧貯蔵手段から直接に油圧モータに作用させるという欠点がある。提案された運動エネルギを回収する駆動装置では、油圧モータはその中立位置から加えて回転しなければならない。これは、いくらかの油圧回路（ｈｙｄｒａｕｌｉｓｃｈｅｎ  Ｋｒｅｉｓｌａｕｆ）の流動の方向を逆転させる。加圧媒体を油圧モータに直接供給する場合、高圧貯蔵手段中の圧力および油圧ポンプを駆動するモータのトルクを利用してモーメントを足し合わせて一緒にするということができない。
【０００６】
【特許文献１】オーストリア国特許第３９５９６０Ｂ号明細書
【発明の開示】
【発明が解決しようとする課題】
【０００７】
本発明の目的は、貯蔵したエネルギを回収し、同時に駆動モータを使用して駆動モーメントを供給することが可能な液圧駆動装置（Ｈｙｄｒｏｓｔａｔｉｓｃｈｅ  Ａｎｔｒｉｅｂｅ）を提供することである。
【課題を解決するための手段】
【０００８】
この目的は、請求項１の特徴を有する本発明による液圧駆動装置によって達成される。
【発明の効果】
【０００９】
本発明による液圧駆動装置は、第１作用導管を経由して油圧モータ（Ｈｙｄｒｏｍｏｔｏｒ）の第１作用導管連結部へおよび第２作用導管を経由して油圧モータの第２作用導管連結部へ連結し得る油圧ポンプ（Ｈｙｄｒｏｐｕｍｐｅ）を含む。さらに、この液圧駆動装置は、圧力エネルギを貯蔵するための第１貯蔵手段、および第２貯蔵手段を含む。第１貯蔵手段中に貯蔵された圧力エネルギの回収のために、第１貯蔵手段は、油圧ポンプの少なくとも１つの運搬方向に対して、この運搬方向で吸込み側にある方の第１作用導管または第２作用導管（５、６）へと連結され得る。本発明による液圧駆動装置は、加圧媒体が、高圧で貯蔵されている第１貯蔵手段から、油圧ポンプの吸込み側に連結されている作用導管を経由して供給されるという利点を有している。吸込み側の油圧ポンプの圧力を増加させるのに加えて、油圧ポンプを駆動する駆動モータの駆動モーメントを油圧ポンプへ作用させることが可能であるので、これはモーメントを加えて一緒にすることを可能にする。圧力エネルギの形態で貯蔵された、車両の運動エネルギの回収は、このように油圧モータにおいて直接に行われるのではなく、間接的に行われる。油圧モータそれ自身は、対照的に、通常の駆動状態において通例であるように、油圧ポンプによって発生させられた作用導管圧力によってのみ作用される。
【００１０】
本発明の有利な展開を下位請求項に示す。
【００１１】
例えば、第１貯蔵手段中に貯蔵された圧力エネルギの回収のため、流入する容積の埋め合わせを可能とするために、油圧モータの下流の作用導管連結部を、第２貯蔵手段へ連結し得ることは、有利である。油圧ポンプの下流連結部を第２貯蔵手段へ連結することによって、加圧媒体が第１貯蔵手段から取り出され、油圧ポンプと油圧モータ（これらは互いにこの配置で連続的に配置される）を経由して、低圧貯蔵手段へと運搬される、油圧均衡状態が生み出される。
【００１２】
ブレーキをかける操作の間に第１貯蔵手段を充填するために、少なくとも１つの流動の方向に対して下流の方の油圧モータの第１または第２作用導管連結部を、第１貯蔵手段へ連結し得ることは、さらに有利である。このようにして第１貯蔵手段を油圧モータの下流連結部へ連結することが可能であることは、油圧回路の流動の方向を逆転させることなく第１の貯蔵手段を充填することを可能とする。作用導管連結部と第１および第２作用導管との間、ならびに第１および第２貯蔵手段と第１作用導管または第２作用導管と第１作用導管連結部または第２作用導管連結部との間の連結を行うために、座弁が有利に使用される。さらに好ましい実施形態によると、この座弁にはパイロット弁が制御圧力によって作用する。
【００１３】
さらに、第２貯蔵手段は、好ましくは圧力保持導管へと連結させられる。この圧力保持導管は、加圧媒体源へと連結し得る。圧力保持導管を経由して加圧媒体源を第２貯蔵手段へと連結するのが可能であることは、第２貯蔵手段内に最低圧力を常に確保できるという効果を有する。これは、例えば漏出によって失われる加圧媒体を再び加圧媒体源から注ぎ足すことができるようにするために、特に有利である。
【００１４】
特に好ましくは、加圧媒体源は給油装置である。第２貯蔵手段のための加圧媒体源として給油装置を使用することは、給油装置を、第１および第２作用導管によって油圧回路を充填するためと第２貯蔵手段中の最低圧力を維持するための両方のために、使用することを可能にしている。この場合、給油装置は好ましくは、給油導管へ流動を運搬する給油ポンプを含む。特に好ましくは、給油導管はスイッチ弁を経由して圧力保持導管へと連結し得る。これは、第２貯蔵手段中の圧力が低下した場合、スイッチ弁の作動の結果、加圧媒体が給油導管から圧力保持導管を経由して第２貯蔵手段へと供給され得ることを意味する。第２貯蔵手段中に十分な圧力がかかっている場合、スイッチ弁によって給油導管と圧力保持導管の間の連結が単純な方法で外され得る。
【００１５】
給油導管を逆止め弁を経由させて直接に圧力保持導管に連結させることも、また有利である。この配置では、この弁は圧力保持導管の方に開く。これは、第２貯蔵手段中に形成された圧力は、給油系へと逃れ得ないことを意味する。給油系は、単に媒体の漏出を埋め合わせるだけであることになる。そうでない場合、油圧系に十分な圧力がある時、油圧回路は給油系から分離される。
【００１６】
さらに好ましい実施形態によると、第１貯蔵手段および第２貯蔵手段は、貯蔵圧力制御弁を経由して直接に相互に連結され得る。高圧貯蔵手段が既に完全に充満していた場合でも、油圧系にブレーキは依然かかり得る。この場合、貯蔵圧力制御弁が開き、貯蔵圧力制御弁を経由して、油圧モータによって運搬される加圧媒体の圧力は、第２貯蔵手段の方向へ開放される。このようにして、閉じた油圧回路が生成され、その結果容積の埋め合わせは必要なくなる。
【発明を実施するための最良の形態】
【００１７】
本発明による液圧駆動装置の好ましい実施形態例が、図面に示され、以下の説明でより詳細に説明される。
【００１８】
図１は、本発明による液圧駆動装置１の概略図である。本発明による液圧駆動装置１は、例えば商用車の駆動機構であり得る。しかし、本発明は、商用車に限られない。むしろ、液圧ギア（ｈｙｄｒｏｓｔａｔｉｓｃｈｅｓ  Ｇｅｔｒｉｅｂｅ）が使用されるいずれの駆動装置も、本発明による実施形態の中で、製造され得る。
【００１９】
液圧駆動装置１は、駆動モータ２を含む。駆動モータ２は、駆動軸４を経由して油圧ポンプ３を駆動する。油圧ポンプ３は調節可能液圧ピストンエンジン（Ｈｙｄｒｏｓｔａｔｉｓｃｈｅ  Ｋｏｌｂｅｎｍａｓｃｈｉｎｅ）で、２方向に運搬するよう設計されている。運搬設定の方向に従って、油圧ポンプ３は、流動を第１作用導管５または第２作用導管６へと運搬する。第１作用導管５および第２作用導管６により、油圧モータ７への連結は可能である。油圧モータ７は、第１作用導管連結部８および第２作用導管連結部９を有する。第１作用導管連結部８は、第１作用導管５へ連結し得る。相応して、第２作用導管連結部９は第２作用導管６に連結し得る。以下で説明するように、第１作用導管連結部８および第２作用導管連結部９が第１作用導管５および第２作用導管６にそれぞれ連結される場合、油圧ポンプ３および油圧モータ７は、閉じた油圧回路の状態で互いに連結される。油圧モータ７が作用を受けて、発生させる出力モーメントは、出力軸１０を通して、例えば、車両軸または下流の切換ギアへと渡される。
【００２０】
油圧ポンプ３の運搬容量を調節するために、第１調節装置１１が備えられる。相応して、油圧モータ７の吸込み容量が、第２調節装置１２によって調節される。第１調節装置１１および第２調節装置１２はそれぞれ油圧ポンプ３および油圧モータ７の調節機構に作用する。
【００２１】
第１連結導管１３は、油圧モータ７の第１作用導管連結部８に連結する。油圧モータ７の第２作用導管連結部９は、第２連結導管１４に連結する。第１連結導管１３は、第１作用導管５へ第１座弁１５を経由して連結し得る。第２連結導管１４は、第２作用導管６へ第２座弁１６を経由して連結し得る。
【００２２】
図１に示される液圧回路（Ｈｙｄｒｏｓｔａｔｉｓｃｈｅｎ  Ｋｒｅｉｓｌａｕｆ）中のすべての座弁は、同じ構造となっている。明瞭にするために、第１座弁１５の構造のみを以下で詳細に論ずる。
【００２３】
第１座弁１５は、ピストン１７を有する。このピストン１７は、圧力による作用を受け得る制御面１８を有する。閉鎖バネの力もまた制御面１８に作用する。このように、制御圧力の結果の油圧力および閉鎖バネ１９の力の両方が、制御面１８に作用し、そして第１座弁１５を閉鎖する方向に促す。密封エッジ２０がピストン１７上に形成され、密封するように密封座２１と協働する。座弁１５が閉じている場合は、第１座弁１５の第１室２２および第２室２３は互いに分離されている。第１作用導管５の圧力および第１連結導管１３の圧力は、それぞれ第１室２２および第２室２３に作用する。第１室２２および第２室２３中に広く行き渡る圧力は、第１座弁１５を開く方向に作用する油圧力でピストン１７に作用する。制御面１８にかけられる油圧力が減少させられた場合、第１室２２および第２室２３中の油圧力が、閉鎖する方向に作用する閉鎖バネ１９の力よりも大きくなり、そして第１座弁１５は、その開放位置に導かれる。第１座弁１５が開放位置に導かれると、第１室２２および第２室２３は互いに連結され、その結果、その中で流動可能な、第１作用導管５と第１連結導管１３の連結が作られることになる。第１座弁１５が開けられるとき、それゆえ、加圧媒体が、油圧ポンプ３を通して第１作用導管５へ運搬されるとき、油圧モータ７の第１作用導管連結部８は、加圧媒体によって作用される。
【００２４】
第１座弁１５の制御面１８に作用する制御圧力に効果を及ぼすために、第１パイロット弁２４が備えられる。第１パイロット弁２４は、三方／二方弁であり、そして弁バネ２５の力によって第１方向に作用される。電磁石２６の力は、その反対方向に作用する。電磁石２６とは異なる作動装置もまた使用され得る。弁バネ２５の力に反対するように、油圧力を第１パイロット弁２４に作用させることもまた可能である。第１パイロット弁２４は、弁バネ２５の力および電磁石２６の力の間の関係に応じて、その第１スイッチ位置２７またはその第２スイッチ位置２８に導かれる。ここでは、弁バネ２５は、第１パイロット弁２４をその第１スイッチ位置２７の方向に促す。この第１スイッチ位置２７では、第１パイロット弁２４は、第１制御圧力導管２９を第１圧力供給導管枝管３２に連結する。
【００２５】
第１パイロット弁２４の第１スイッチ位置２７では、第１圧力供給導管枝管３２中に行き渡る圧力は、このようにして、それと連結する第１制御圧力導管２９を経由して第１座弁１５の制御面１８へと供給される。その結果、第１パイロット弁２４が、弁バネ２５によってあらかじめ決められた第１スイッチ位置２７にある場合は、第１座弁１５は閉鎖する方向へ促される。対照的に、電磁石２６が制御信号によって作用する場合、弁バネ２５の力に反対して、第１パイロット弁２４をその第２スイッチ位置２８に導く力が、電磁石２６の作用の結果、次に第１パイロット弁２４に作用する。第２スイッチ位置２８では、第１制御圧力導管２９は、第１圧力開放導管３０に連結される。第１制御圧力導管２９中に行き渡る圧力は、第１圧力開放導管３０を経由して、タンク空間３１に開放される。これにより、第１座弁１５の制御面１８に作用する油圧力が低下し、そして第１座弁１５は、第１室２２および第２室２３中の油圧力によって、その開放位置へ導かれる。電磁石２６へ電流をかけることで、このように第１作用導管５および第１作用導管連結部８の間の連結が形成される。
【００２６】
制御面１８へかける制御力を発生させるために必要な圧力は、第１圧力供給導管枝管３２および第１パイロット弁２４を経由して供給される。このために、第１圧力供給導管枝管３２は圧力供給導管３４と連結させられる。この圧力供給導管３４は切換弁３５の出力へ連結させられる。切換弁３５は、以下で説明する様式で、各々の場合において系で利用可能な最高の圧力を提供するという効果を有する。
【００２７】
第２座弁１６を作動するために、第２パイロット弁３６が備えられる。第２パイロット弁３６は、第１パイロット弁２４と同様の構造を有する。明瞭化のために、繰り返しになる説明は省略する。第２制御圧力導管３７は、第２パイロット弁３６によって、第２圧力供給導管枝管３８へと連結し得る。第２パイロット弁３６は、この位置にバネによっても保持される。第２パイロット弁３６が制御信号によって電磁石で作用されるとき、第２パイロット弁がその第２スイッチ位置に導かれ、そこでは第２制御圧力導管３７が第２圧力開放導管３９に連結される。第２パイロット弁３６が制御信号によって作用されるとき、第２制御圧力導管３７の圧力はタンク空間３１へ開放されるから、第２座弁１６の制御面に作用する制御圧力は、従って減少する。その結果、制御信号がパイロット弁３６にかけられるとき、第２座弁１６は、その開放位置に導かれる。第２座弁１６が開放位置をとると、第２連結導管１４および第２作用導管６が互いに連結させられる。
【００２８】
通常の駆動状態では、制御信号は、第１パイロット弁２４および第２パイロット弁３６の両方に作用する。第１制御圧力導管２９および第２制御圧力導管３７からの圧力は、その結果タンク空間３１に開放され、そして第１座弁１５および第２座弁１６は、それぞれの開放位置に導かれる。油圧ポンプ３および油圧モータ７が、それ自体公知である様式で液圧ギアの形態に配置されるから、これは閉じた液圧回路を形成する。液圧ギアの伝動比は、それぞれ第１調節装置１１および第２調節装置１２によって、油圧ポンプ３の運搬容量または油圧モータ７の吸込み容量を調節することによって、調節される。
【００２９】
本発明による液圧駆動装置１は、さらに第１貯蔵手段４０および第２貯蔵手段４１を含む。第１貯蔵手段４０は、高圧貯蔵手段の形態をとる。第２貯蔵手段４１は、低圧貯蔵手段の形態をとる。好ましくは、両貯蔵手段４０、４１は、油圧／空気圧貯蔵手段の形態をとり、そこでは加圧媒体が供給されるとき、圧縮可能容量が圧縮される。
【００３０】
第１貯蔵手段４０は、液圧回路に、高圧貯蔵導管３３を経由して連結し得る。高圧貯蔵導管３３は、第１高圧貯蔵導管枝管４２および第２高圧貯蔵導管枝管４３に枝分かれする。第１高圧貯蔵導管枝管４２に第３座弁４４を、第２高圧貯蔵導管枝管４３に第４座弁４５を配置する。第3座弁４４および第4座弁４５は、閉じる方向に、それぞれ第3制御圧力導管４８および第4制御圧力導管４９を通した制御圧力によって、作用されることも可能である。閉鎖バネが、それぞれ第3座弁４４および第4座弁４５に、再び閉じる方向に、作用する。
【００３１】
第3座弁４４が閉じた位置にある場合、第１高圧貯蔵導管枝管４２が中断され、第４座弁４５が閉じた位置にある場合、第２高圧貯蔵導管枝管４３が中断される。
【００３２】
第１高圧貯蔵導管枝管４２は、第１作用導管５へ口を開き、第２高圧貯蔵導管枝管４３は、対応して、第２作用導管６へ口を開く。第３座弁４４および第４座弁４５がそれぞれ閉じた位置をとる場合、流動が可能である第１作用導管５から第１貯蔵手段４０への連結はなくなり、第２作用導管６から第１貯蔵手段４０への連結もなくなる。
【００３３】
第３パイロット弁４６が第１スイッチ位置にあるとき、第３制御圧力導管４８は、第３圧力供給導管枝管５０に連結される。第３パイロット弁４６は、このスイッチ位置の方向へ、弁バネによって作用されている。電磁石は、その一方で、反対方向に作用し、すでに説明した仕方で、弁バネの力に反対する力を第３パイロット弁４６に促し得る。電磁石が制御信号によって作用された場合、電磁石は第３パイロット弁４６をその第２スイッチ位置へ導く。第３制御圧力導管４８は、この位置にある第３圧力開放導管５２へ連結され、その結果第３制御圧力導管４８の圧力がタンク空間３１へ開放される。これは、第１高圧貯蔵導管枝管４２中に行き渡る圧力の結果、第３座弁４４をその開いた位置へと導く。第３座弁４４が開いた位置にあると、第１作用導管５は、第１高圧貯蔵導管枝管４２および高圧貯蔵導管３３を経由して、第１貯蔵手段４０へと連結される。
【００３４】
上で説明した配置に一致して、第４座弁４５は第４パイロット弁４７によっても作動され得る。第４制御圧力導管４９は、第４圧力供給導管枝管５１か第４圧力開放導管５３のどちらかに、第４パイロット弁４７を経由して連結され得る。第４パイロット弁４７の休止位置では、第４パイロット弁４７は第４制御圧力導管４９を第４圧力供給導管枝管５１へと連結する。電磁石が作動すると、第４パイロット弁４７はその第２スイッチ位置へと移動し、第２スイッチ位置では、第４制御圧力導管４９は第４圧力開放導管５３へと連結される。すでに説明された仕方で、この結果、第４座弁４５が開かれる。座弁４５が開かれた位置では、第２作用導管６が、第２高圧貯蔵導管枝管４３を経由して、第１貯蔵手段４０に連結される。
【００３５】
第２貯蔵手段４１は低圧貯蔵手段の形態をとり、油圧回路に低圧貯蔵導管５４を経由して連結され得る。低圧貯蔵導管５４は、第１低圧貯蔵導管枝管５５および第２低圧貯蔵導管枝管５６に枝分かれする。第１低圧貯蔵導管枝管５５には、第５座弁５７が、第２低圧貯蔵導管枝管５６には第６座弁５８が配置される。第１低圧貯蔵導管枝管５５は第１連結導管１３へと開口し、第２低圧貯蔵導管枝管５６は第２連結導管１４に開口する。このようにして、第５座弁５７が閉じた位置にあるとき、第１連結導管１３および低圧貯蔵導管５４の間の連結は中断される。同様に、第６座弁５８は、第２連結導管１４および低圧貯蔵導管５４の間の連結を中断する。
【００３６】
第５座弁５７は、第５パイロット弁５９による作動を受ける。閉鎖する方向に第５座弁５７に油圧力をかけるために、第５パイロット弁５９は、第５制御圧力導管６１を第５圧力供給導管枝管６３に連結する。対照的に、第５パイロット弁５９の電磁石に制御力がかけられる場合、第５パイロット弁５９は、その弁バネの力に反対して、その第２スイッチ位置へ導かれ、この位置では、第５制御圧力導管６１が、第５圧力開放導管６５に連結される。第５制御圧力導管６１に行き渡る圧力がタンク空間３１へと開放される結果、第５座弁５７は開き、第１連結導管１３が、第１低圧貯蔵導管枝管５５を経由して、低圧貯蔵導管５４へ、それゆえ第２貯蔵手段４１へ連結される。
【００３７】
対応する仕方で、第６座弁５８は、第６パイロット弁６０による作動を受ける。前と同じように弁バネによって画定される第６パイロット弁の休止位置で、第６制御圧力導管６２は第６パイロット弁６０によって第６圧力供給導管枝管６４へと連結される。
【００３８】
対照的に、制御信号が第６パイロット弁６０に作用する場合、第６パイロット弁は、弁バネの力に反対して、電磁石によって他の限定位置へと導かれる。この限定位置では、第６制御圧力導管６２は、第６圧力開放導管６６へと連結される。第６制御圧力導管６２から第６圧力開放導管６０を経由してタンク空間３１へ加圧媒体が逃れることで、第６座弁５８に作用する制御力が減少する結果となる。第６座弁５８に作用する弁を閉鎖する方向の制御力を減少させることで、反対方向に作用する力および第２低圧貯蔵導管枝管５６中の圧力によって発生する力が制御力を上回る。その結果、第６座弁５８はその開放位置へ導かれ、流動が可能な第２低圧貯蔵導管枝管５６との連結が生じる。
【００３９】
第１から第６までの圧力供給導管枝管３２、３８、５０、５１、６３そして６４は、圧力供給導管３４に連結される。圧力供給導管３４は、切換弁３５の出力へ連結される。貯蔵連結導管６７および駆動装置連結導管６８がそれぞれ、切換弁３５の２つの入力へ開口する。高圧貯蔵導管３３に行き渡る圧力、それゆえ第１貯蔵手段４０に行き渡る圧力は、貯蔵連結導管６７を経由して切換弁３５の入力に作用する。切換弁３５のもう一方の入力には、ポンプ連結導管６８を経由して第１作用導管５および第２作用導管６のうちの高い方の圧力が作用する。これは、切換弁３５が、座弁１５、１６、４４、４５、５７および５８を作動するために、系で利用可能な最高の圧力をその出力として利用可能にすることを意味する。
【００４０】
液圧駆動装置１は、さらに給油装置６９を含む。給油装置６９は給油ポンプ７０を有する。給油ポンプ７０は一方向にのみ運搬するために備えられ、そして好ましくは一定流量ポンプの形態をとる。給油ポンプ７０は、調節可能油圧ポンプ３と一緒に、駆動軸４上に配置され、そして従って駆動モータ２によって駆動される。給油ポンプ７０は、タンク空間３１から加圧媒体を引き上げ、そして給油導管７１へと運搬する。給油導管７１は、第１作用導管５へと連結する第１給油導管枝管７２と、第２作用導管６へと連結する第２給油導管枝管７３に枝分かれする。第１給油導管枝管７２には第１逆止め弁７４が、第２給油導管枝管７３には第２逆止め弁７５が備えられている。この２つの逆止め弁７４および７５は、もし給油導管７１中の圧力がそれぞれ第１作用導管５および第２作用導管６の作用導管圧より高ければ、それぞれ第１作用導管５および第２作用導管の方向に開口するよう、配置されている。
【００４１】
液圧駆動装置１を保護するため、各々の場合において平行して、第１逆止め弁７４および第２逆止め弁７５の拡張として、それぞれ圧力制限弁を配置し得、これらは、万一非常に高い圧力となる場合には、作用導管５および６それぞれの圧力を給油導管７１の方向に開放する。
【００４２】
給油装置６９は、圧力保持導管７６を経由して、第２貯蔵手段４１へと連結し得る。このために、圧力保持導管７６は、スイッチ弁７７の出力を低圧貯蔵導管５４に連結する。圧力バネ７８の力と反対方向に働く油圧力とに応じて、スイッチ弁７７は、第１スイッチ位置または第２スイッチ位置をとる。油圧力が圧力バネ７８の力よりも大きい場合、スイッチ弁７７は給油導管７１を排液導管８１へと連結する。排液導管８１は、第１圧力制御弁８０を経由して、タンク空間３１へと連結し得る。スイッチ弁７７における油圧力が圧力バネ７８の力より弱くなった場合、圧力バネ７８は、スイッチ弁７７を、そのもう一方のスイッチ位置へ押しやり、その位置では給油導管７１は圧力保持導管７６に連結する。
【００４３】
圧力保持導管７６の圧力は、比較導管７９を通して、計量面へかけられる。このようにして、スイッチ弁７７は、第２貯蔵手段４１中に行き渡る圧力に応じて、その第１または第２スイッチ位置に切り替わる。圧力保持導管７６は、第２圧力制御弁８２を経由して、タンク空間３１に連結し得る。
【００４４】
第２貯蔵手段４１中の圧力が、圧力バネ７８によって設定される値より弱くなるとすぐに、スイッチ弁７７は、給油導管７１が圧力保持導管７６に連結される、スイッチ位置に導かれる。このスイッチ位置では、加圧媒体は、給油ポンプ７０によって第２貯蔵手段４１へと運搬される。この結果、第２貯蔵手段４１中の圧力は、十分な圧力に達するまで上昇し、その結果、スイッチ弁７７に作用する油圧力は、スイッチ弁７７をその反対のスイッチ位置へ導く。この反対のスイッチ位置では、給油装置６９中に行き渡る圧力は、圧力制御弁８０によって制限される。好ましくは、第１圧力制御弁８０は、例えば２０バールに調節される。第２圧力制御弁８２は、対照的に、より高い圧力、例えば、スイッチ弁７７の切換圧力に相当する、４０バールに調節される。
【００４５】
給油装置６９および第２貯蔵手段４１の間の連結は、液圧駆動装置１の再生稼動の間の漏出の結果として回路から出て行く加圧媒体を、再び供給するのを、このようにして保証する。
【００４６】
最初ですでに述べたように、通常の駆動状態では、油圧ポンプ３および油圧モータ７が配置される、閉じた油圧回路が提供される。このために、制御信号が第１パイロット弁２４および第２パイロット弁３６に作用する。第１座弁１５および第２座弁１６は、それらの開放位置にあり、閉じた油圧回路は、第１作用導管５、第１連結導管１３、第２連結導管１４、および第２作用導管６からなる。以下の説明で、前進運搬は加圧媒体が油圧ポンプ３によって第１作用導管５へと運搬されることを意味する、と仮定する。従って、前進運搬の間、第１作用導管５は運搬側の作用導管であり、第２作用導管６は吸込み側の作用導管である。
【００４７】
前進運搬を出発点とすると、関係している車両は、最初オーバーラン状態に入り、そしてブレーキがかけられる。オーバーラン状態では、第１貯蔵手段４０は、車両の運動エネルギを貯蔵するのに使用される。そのため、加圧媒体を、今ポンプとして作用する油圧モータ７によって、第１貯蔵手段４０へ運搬しなければならない。ブレーキをかける過程の間、加圧媒体は、第２貯蔵手段４１から取り出され、そして油圧モータ７によって第１貯蔵手段４０へと供給される。このために、説明される前進運搬の場合、制御信号が第５パイロット弁５９に作用する。その結果、第５座弁５７はその開放位置に導かれ、加圧媒体が、第１低圧貯蔵導管枝管５５を経由して、油圧モータ７によってその第１作用導管連結部８において、第２貯蔵手段４１から引き上げられ得る。油圧モータ７によって第２貯蔵手段４１から引き上げられた加圧媒体は、油圧モータ７によって第２連結導管１４へと運搬される。
【００４８】
制御信号はまた、第２パイロット弁３６に作用し、その結果第２座弁１６もまたその開放位置に導かれる。さらに、制御信号が第４パイロット弁４７に作用し、そして第４座弁４５もまた、第２高圧貯蔵導管枝管４３の圧力によって、開放位置に導かれる。対照的に、その他のパイロット弁４６、２４および６０は、それらのそれぞれの弁バネによってのみ作用され、パイロット弁と結合する座弁４４、１５および５８はその閉じた位置に置かれる。
【００４９】
油圧モータ７によって運搬される加圧媒体は、この結果、第２連結導管１４を第２作用導管６の方向に運搬され、第２高圧貯蔵導管枝管４３を通って第１貯蔵手段４０へと続いて運ばれる。
【００５０】
この種のブレーキ過程の後、加圧媒体は、高圧で第１貯蔵手段４０に貯蔵される。このようにして、貯蔵圧力エネルギが、減速する車両の運動エネルギによって生成される。説明されたブレーキ過程の後、前進運搬の間、前進運搬の方向への加速が再び必要となる場合、加圧媒体が、第１貯蔵手段４０から適切な仕方により液圧駆動装置１へと供給されなければならない。本発明によれば、加圧媒体は、第１貯蔵手段４０から取り出されて、吸込み側のそれぞれの作用導管へ運ばれる。吸込み側の作用導管は、前進運搬の場合、第２作用導管６である。加圧媒体を取り除きそして従ってエネルギを回収するために、制御信号が第４パイロット弁４７に作用する。第４座弁４５が開放位置に導かれ、そして加圧媒体が第１貯蔵手段４０から第２作用導管６それゆえ油圧ポンプ３の吸込み側に供給される。油圧ポンプ３は、このように、最初と同じ圧力下にある第２作用導管６から流動を引き出し、そして加えて駆動モータ２のトルクによって作用され得る。これは、モーメントが加えられて一緒になり、そして駆動モータ２をより低い駆動力で作動させ得るという結果をもたらす。結果は燃料の節約となる。第１作用導管５中の圧力が、油圧モータ７に作用する。このために、制御信号が第１パイロット弁２４に作用し、その結果第１座弁１５がその開放位置に置かれる。油圧モータ７の第１作用導管連結部８は、このように運搬側の作用導管５に連結される。油圧モータ７の第２作用導管連結部９から下流に出る加圧媒体の圧力は、出力軸１０において開放され、出力トルクを発生し、開放された第６座弁５８を経由して第２貯蔵手段４１へと運搬される。第６座弁５８を開けるために、制御信号が、第６パイロット弁６０に作用する。その他の座弁（１６、４４および５７）は、それぞれその閉鎖位置にあり、その結合するパイロット弁（３６、４６および５９）に作用する制御信号はない。
【００５１】
相応して、後進運搬の間、運動エネルギの貯蔵および運動エネルギの回収の両方が可能である。後進運搬では、油圧ポンプ３に関して吸込み側および運搬側の作用導管が逆になるという結果となる。従って、上述した例から始めると、後進運搬の間、第２作用導管６は油圧ポンプ３に関して運搬側の作用導管であり、第１作用導管５は油圧ポンプ３に関して吸込み側の作用導管になる。その結果、油圧モータ７を通した流動の方向もまた変化し、後進運搬の間、油圧モータ７の第１作用導管連結部８は下流作用導管連結部となり、第２作用導管連結部９は、油圧モータ７の上流作用導管連結部となる。それぞれのスイッチ状態をもう一度明解に表すために、前進運搬および後進運搬について、加速過程およびブレーキ過程のスイッチ位置が、下の表に示される。単純化のために、制御信号が作用するパイロット弁のみを与える。これはその他のパイロット弁はどれも制御信号を受けず、これらに結合する座弁は、閉じた位置であることを意味する。
【００５２】
【表１】
2009520927.tif 000003
【００５３】
図２は、本発明による液圧駆動装置１′の第２の例示実施形態を示す。不必要な繰り返しを避けるために、ここでは、同種の部品には同じ参照番号を用いた。繰り返しになる説明はすべて省略した。
【００５４】
図１の例示実施形態とは違って、図２の第２例示実施形態の場合、第１圧力制限弁８０および第２圧力制限弁８２の代わりに、給油圧力制御弁８０′を１つのみ備える。給油圧力制御弁８０′が、給油圧力制御導管８３を経由して給油導管７１へと連結される。さらに、給油導管７１が、圧力保持導管７６へと連結される。給油導管７１から圧力保持導管７６への変わり目に、第３逆止め弁８４が備えられる。逆止め弁は、図１の例示実施形態においても同様に有利に使用され得る。
【００５５】
第３逆止め弁８４は、圧力保持導管７６の方向に開口する。給油導管７１中の圧力は、給油圧力制御弁８０′によって、許容される最大の給油圧力に制限される。これは例えば２５バールである。この最大許容給油圧力を超える圧力が第２貯蔵手段４１に行き渡っている場合、第３逆止め弁８４はその閉じた位置に戻り、そして第２貯蔵手段４１を改変給油装置６９′から切断する。しかし、例えば漏出のために、第２貯蔵手段４１中の圧力が、給油圧力より低い圧力に下がった場合、第３逆止め弁８４は開き、第２貯蔵手段４１が、給油ポンプ７０の助けを借りて、改変給油装置６９′から補充される。
【００５６】
さらに、図１の例示実施形態とは対照的に、第１作用導管５および第２作用導管６の２つの作用導管圧力のうち高い方は、油圧ポンプ３を経由し直接には切換弁３５に供給されない。逆に、追加切換弁８９が備えられる。この追加切換弁８９は、第１切換弁導管８７を経由して第１作用導管５に、第２切換弁導管８８を経由して第２作用導管６に連結する。２つの作用導管圧力のうち高い方がかかる、追加切換弁８９の出力は、切換弁連結導管６８′を経由して切換弁３５への入力に連結される。このようにして、図１の例示実施形態のように、２つの作用導管圧力のうち高い方が、切換弁３５を経由して、貯蔵連結導管６７中に行き渡る圧力と比べられ、圧力供給導管３４に供給される。
【００５７】
さらに、第２例示実施形態の第１パイロット弁２４′および第２パイロット弁３６′の場合、第１例示実施形態と比較すると、第１スイッチ位置２７′と第２スイッチ位置２８′が入れ替わっている。これは、弁バネ２５によって決められる、第１パイロット弁２４′の休止状態では、第１圧力供給導管枝管３２が、第１制御圧力導管２９と連結されることを意味している。相応して、第２パイロット弁３６′の休止位置では、第２圧力供給導管枝管３８が、第２制御圧力導管３７に連結される。この結果、通常の液圧駆動状態では、第１座弁１５および第２座弁１６はそれぞれその開放位置にあり、そして油圧ポンプ３および油圧モータ７は互いに、第１作用導管５、第２作用導管６、ならびに第１連結導管１３および第２連結導管１４を経由して連結し、単純な閉じた油圧回路を形成する。パイロット弁２４′および３６′の電磁石に電流を流す必要はない。
【００５８】
過剰な作用導管圧力に対して、第１作用導管５および第２作用導管６を保護するために、第１逆止め弁７４と並行させて、第１並行圧力制限弁８５が配置される。この第１並行圧力制御弁８５は、第１作用導管５中の圧力が第１並行圧力制限弁８５のバネによって調節される値を超える場合、給油導管７１の方向に開く。
【００５９】
類似の様式で、第２並行圧力制御弁８６が備えられる。第２並行圧力制御弁８６は、第１逆止め弁７５と並行して配置される。第２並行圧力制御弁は、第２作用導管６中の圧力が第２並行圧力制御弁８６の追加バネによって調節される臨界値を超える場合に、開く。
【００６０】
図３で示される、本発明による液圧駆動装置１″の第３例示実施形態の場合、運動エネルギの回収は、１運搬方向についてのみ提供される。この運搬方向は、油圧ポンプ３が第１作用導管５へと流動を運搬する、上述の前進運搬の方向に相当する。この種類の液圧駆動装置１″の構造上のコストは、エネルギ回収のためには１方向の運搬しか与えないので、非常に減らされる。このように、特に第１パイロット弁２４′および第１座弁１５はもはや必要でなく、第３パイロット弁４６、第３座弁４４またはその導管ももはや必要でない。図３に示される第３例示実施形態は、図２に示される例示実施形態に基づいており、その他の要素は、図２に関連して既に説明されたものに対応する。
【００６１】
加えて、図３の例示実施形態では、安全導管９０が提供される。この安全導管９０は、低圧貯蔵導管５４を高圧貯蔵導管３３に連結する。安全導管９０には、貯蔵圧力制御弁９１が配置される。この貯蔵圧力制御弁９１は、許容できない過剰な圧力から第１貯蔵手段４０を保護する。同時に、この貯蔵圧力制御弁は、第１貯蔵手段４０が既に満杯に充填されていても、液圧駆動装置１″が液圧ブレーキ（Ｈｙｄｒｏｓｔａｔｉｓｃｈｅ  Ｂｒｅｍｓｕｎｇ）を続けることができるようにする。このために、貯蔵圧力制御弁バネ９２が、第１貯蔵手段４０中の圧力の限界値を調節するために使用される。この限界値は、第１貯蔵手段４０がその最大充填状態にあるときの、第１貯蔵手段４０中の圧力に相当する。
【００６２】
安全導管９０に連結される高圧貯蔵導管３３中に行き渡る第１貯蔵手段４０の貯蔵圧力が、計量導管９３を経由して、貯蔵圧力制御弁９１の圧力計量面にかけられる。そこで発生する液圧力（ｈｙｄｒｏｓｔａｔｉｓｈｅ  Ｄｒｕｃｋ）が、貯蔵圧力制御弁バネ９２の力と反対する方向に作用する。第１貯蔵手段４０が満杯である場合、貯蔵圧力制御弁９１は開き、そして高圧貯蔵導管３３を低圧貯蔵導管５４へと連結する。これは、オーバーラン状態では、油圧モータ７は加圧媒体を、もはや第１貯蔵要素４０に運搬せず、安全導管９０およびその途中に配置される貯蔵圧力制御弁９１を経由させて、低圧貯蔵導管５４に戻すことを意味する。この貯蔵圧力制御弁９１が流動容量を絞りそしてブレーキ効果が造られる、閉じた油圧回路が、このようにして産出される。これは、第１貯蔵手段４０が満杯に充填されていても、容量を埋め合わせる必要もなく液圧ブレーキが依然としてかかり得ることを意味する。
【００６３】
本発明は、例示された実施形態に限られるものではない。逆に、例示実施形態の個々の特徴をお互いに組み合わせることもできる。
【図面の簡単な説明】
【００６４】
本発明による液圧駆動装置の好ましい実施形態例が、図面に示され、以下の説明でより詳細に説明される。図は：
【図１】本発明による液圧駆動装置の第１の例示実施形態の概念図を示す。
【図２】本発明による液圧駆動装置の第２の例示実施形態の概念図を示す。
【図３】本発明による液圧駆動装置の第３の例示実施形態の概念図を示す。
【図１】
2009520927.tif 000004
【図２】
2009520927.tif 000005
【図３】
2009520927.tif 000006
【国際調査報告】
2009520927.tif 000007
2009520927.tif 000008
2009520927.tif 000009
2009520927.tif 000010